(57)【特許請求の範囲】
【請求項１】
複数の隣接する無線ゾーンをカバーする複数の通信基地局装置と、前記通信基地局装置を制御する基地局制御装置と、前記基地局制御装置を収容する電子交換機とを備えた移動体通信設備における通信接続切替方法であって、
第１の状態において、
電子交換機と第１の基地局制御装置との間で、第１の主信号路が形成され、
前記第１の基地局制御装置と第１の通信基地局装置との間で、第１の副信号路が形成され、
前記第１の通信基地局装置と通信端末装置との間で、第１の無線通信路が形成されており、
第２の状態において、
前記通信端末装置と第２の通信基地局装置との間で、さらに第２の無線通信路が形成され、
前記第１の基地局制御装置と、前記第２の通信基地局装置を制御する第２の基地局制御装置との間に、前記電子交換機を介して、第２の副信号路がさらに形成され、
前記通信端末装置と第３の通信基地局装置との間で、さらに第３の無線通信路が形成され、
前記第１の基地局制御装置と、前記第３の通信基地局装置を制御する第３の基地局制御装置との間に、前記電子交換機を介して、第３の副信号路がさらに形成されており、
前記電子交換機が、前記第２及び第３の基地局制御装置の中から、接続されている通信基地局装置が一番多い基地局制御装置、又は、一番最近に通信開始した基地局制御装置、又は、通信品質の良い通信路を有する基地局制御装置を、切替先の基地局制御装置として決定し、
前記電子交換機が、決定された切替先以外の前記第２又は第３の基地局制御装置と前記第１の基地局制御装置との間の前記第２又は第３の副信号路を開放し、切替先以外の前記第２又は第３の基地局制御装置と切替先の前記第２又は第３の基地局制御装置との間の、前記電子交換機を介した第４の副信号路を形成し、
第３の状態において、
前記第１の基地局制御装置と前記第１の通信基地局装置との前記第１の副信号路が切断され、
前記電子交換機が、前記第１の基地局制御装置と切替先の前記第２又は第３の基地局制御装置との前記第２又は第３の副信号路を、第２の主信号路へ割り当て、
前記電子交換機が、切替元の前記第１の基地局装置との通信資源を解放し、及び、切替先の前記第２又は第３の基地局制御装置と前記電子交換機と切替元の前記第１の基地局制御装置との間の前記第２の主信号路を、切替先の前記第２又は第３の基地局制御装置と前記電子交換機との間の第３の主通信路につなぎ替える前記通信接続切替方法。
【請求項２】
前記第１の基地局制御装置から前記電子交換機へ第１の通信路切替要求を送信し、
前記電子交換機は、前記第１の通信路切替要求を受信すると、決定された切替先の前記第２又は第３の基地局制御装置へ第２の通信路切替要求を送信し、
切替先の前記第２又は第３の基地局制御装置は、前記第２の通信路切替要求を受信すると、前記電子交換機へ切替タイミング信号を含む通信路切替要求応答を送信し、
前記電子交換機は、前記通信路切替要求応答を受信すると、切替元の前記第１の基地局制御装置へ前記切替タイミング信号を含む通信基地局装置切り離し要求を送信し、
前記第１の基地局制御装置は、前記通信基地局装置切り離し要求を受信すると、受信した前記切替タイミング信号に従って前記通信端末装置との間の前記第１の副信号路を切断した後、前記電子交換機へ切り離し応答を送信し、
前記電子交換機は、前記切り離し応答を受信すると、前記第２の主信号路へ割り当てること、及び、前記第３の主信号路につなぎ替えることを行うようにした請求項１に記載の通信接続切替方法。
【請求項３】
前記電子交換機と前記通信端末装置との間において、前記電子交換機内で処理される信号と前記通信端末装置内で処理される信号とを相互に変換するための符号化・復号化処理に関し、
前記第１の主信号路が形成される状態では、前記第１の基地局制御装置により前記符号化・復号化処理を実行し、切替先の前記第２又は第３の基地局制御装置では信号をバイパスし、
前記第２の主信号路が形成される状態では、切替先の前記第２又は第３の基地局制御装置により前記符号化・復号化処理を実行し、前記第１の基地局制御装置では信号をバイパスすることを特徴とする請求項１又は２に記載の通信接続切替方法。
【請求項４】
複数の隣接する無線ゾーンをカバーする複数の通信基地局装置と、前記通信基地局装置を制御する基地局制御装置と、前記基地局制御装置を収容する電子交換機とを備えた移動体通信設備において、通信端末装置が複数の無線ゾーン間を移動する際の前記電子交換機における通信接続切替方法であって、
切替元基地局制御装置より第１の通信路切替要求を受信するステップと、
通信中の前記通信端末装置が使用している接続中基地局制御装置が、３台以上あるか否か判断するステップと、
前記判断するステップにより、前記接続中基地局制御装置が３台より少ないと判断された場合、
切替先基地局制御装置へ第２の通信路切替要求を送信し；
前記切替先基地局制御装置から切替タイミング信号を含む通信路切替要求応答を受信し；及び、
前記切替元基地局制御装置へ切替タイミング信号を含む通信基地局装置切り離し要求を送信するステップと、
前記判断するステップにより、前記接続中基地局制御装置が３台以上あると判断された場合、
接続されている通信基地局装置が一番多い基地局制御装置、又は、一番最近に通信開始した基地局制御装置、又は、通信品質の良い通信路を有する基地局制御装置を、切替先基地局制御装置として決定し； 
決定された前記切替先基地局制御装置へ第２の通信路切替要求を送信し；
前記切替先基地局制御装置から切替タイミング信号を含む通信路切替要求応答を受信し；
前記切替元基地局制御装置へ前記切替タイミング信号を含む通信基地局装置切り離し要求を送信し；及び、
切替先以外の前記基地局制御装置と前記切替元基地局制御装置との接続を、切替先以外の前記基地局制御装置と前記切替先基地局制御装置との接続につなぎ替えるステップと、
前記切替元基地局制御装置から通信基地局装置の切り離し完了報告信号を含む切り離し応答を受信するステップと、
前記電子交換機から前記切替元基地局制御装置への主信号路を、前記切替先基地局制御装置へ切り替えるステップと
を備えた通信接続切替方法。
【請求項５】
複数の隣接する無線ゾーンをカバーする複数の通信基地局装置と、前記通信基地局装置を制御する基地局制御装置と、前記基地局制御装置を収容する電子交換機とを備えた移動体通信設備において、通信端末装置が複数の無線ゾーン間を移動する際の切替元基地局制御装置における通信接続切替方法であって、
前記通信端末装置が隣接する無線ゾーンに移動する際に、前記通信端末装置から接続切替のための信号を受信するステップと、
前記電子交換機に第１の通信路切替要求を送信するステップと、
前記通信基地局装置との間の通信路を切断するための、切替タイミング信号を含む通信基地局装置切り離し要求を前記電子交換機から受信するステップと、
通信中の前記通信端末装置が使用している接続中基地局制御装置が３台以上あるか否か判断するステップと、
前記判断するステップにより、前記接続中基地局制御装置が３台より少ないと判断された場合、切替タイミング信号により指定されたタイミングで内部のデータ符号化装置を停止するステップと、
前記判断するステップにより、前記接続中基地局制御装置が３台以上あると判断された場合、切替先の基地局制御装置以外の全ての基地局制御装置との間の通信路を切断し、及び、切替タイミング信号により指定されたタイミングでデータ符号化装置を停止するステップと、
を備え、
切替先の前記基地局制御装置との副信号路が第２の主信号路へ割り当てられて、前記電子交換機との第１の主信号路の信号が切替先の前記基地局制御装置へバイパスされ、及び、前記電子交換機との通信資源が解放され、及び、切替先の前記基地局制御装置と前記電子交換機と自基地局制御装置との間の前記第２の主信号路が、切替先の前記基地局制御装置と前記電子交換機との間の第３の主通信路につなぎ替えられるための通信接続切替方法。
【請求項６】
前記通信基地局装置との通信路の解放を指示するステップと、
前記電子交換機へ切り離し完了報告信号を含む切り離し応答を送信するステップとをさらに備えた請求項５に記載の通信接続切替方法。
【請求項７】
複数の隣接する無線ゾーンをカバーする複数の通信基地局装置と、前記通信基地局装置を制御する基地局制御装置と、前記基地局制御装置を収容する電子交換機とを備えた移動体通信設備において、通信端末装置が複数の無線ゾーン間を移動する際の切替先基地局制御装置における通信接続切替方法であって、
前記通信端末装置が自己の無線ゾーンに移動してくる際に、前記通信端末装置からの情報を受信するステップと、
前記電子交換機から第２の通信路切替要求を受信するステップと、
切替タイミング信号を含む切替要求応答を前記電子交換機へ送信するステップと、
通信中の前記通信端末装置が使用している接続中基地局制御装置が３台以上あるか否かを判断するステップと、
前記判断するステップにより、前記接続中基地局制御装置が３台より少ないと判断された場合に、データ符号化装置を起動するステップと、
前記判断するステップにより、前記接続中基地局制御装置が３台以上あると判断された場合に、
ＳＤＵを起動し；
切替元の前記第１の基地局制御装置と全ての他の基地局制御装置との間の通信路を収容し；及び、
データ符号化装置を起動するステップと
を備え、
前記切替元基地局制御装置と自基地局制御装置との副信号路が第２の主信号路に割り当てられて、前記電子交換機と前記切替元基地局制御装置との間の前記第１の主信号路の信号が該切替元基地局制御装置からバイパスされ、及び、切替元の前記基地局制御装置と前記電子交換機と自基地局制御装置との間の前記第２の主信号路が、自基地局制御装置と前記電子交換機との間の第３の主通信路につなぎ替えられるための通信接続切替方法。
【請求項８】
通信基地局装置からの信号を終端し、前記通信基地局装置からの信号を受信するＳＤＵ信号検出部と、
前記ＳＤＵ信号検出部を経て前記通信基地局装置と伝送される信号を集線・分配するＳＤＵ信号選択部と、
前記ＳＤＵ信号検出部で受信された信号が入力され、前記ＳＤＵ信号選択部の選択制御を行うＳＤＵ制御部と、
電子交換機に接続され、信号の送受信及び抽出・挿入を行う電子交換機接続部と、
前記電子交換機と伝送される信号の抽出・挿入を行うために前記電子交換機接続部を制御する電子交換機接続制御部と、
前記ＳＤＵ信号選択部の集線側と前記交換機接続部との間に設けられ、伝送される信号の符号化及び復号化を行うデータ符号化装置と、
前記データ符号化装置をバイパスするバイパス回路と、
前記バイパス回路と前記データ符号化装置のいずれかを選択する制御、及び、前記電子交換機制御部及び前記ＳＤＵ制御部の制御を行う全体制御部と
を備え、
前記ＳＤＵ信号検出部は、通信端末装置が隣接する無線ゾーンに移動する際に、前記通信端末装置から接続切替のための信号を受信し、
前記電子交換機接続部は、前記電子交換機に第１の通信路切替要求を送信し、及び、前記通信基地局装置との間の通信路を切断するための、切替タイミング信号を含む通信基地局装置切り離し要求を前記電子交換機から受信し、
前記全体制御部は、通信中の前記通信端末装置が使用している接続中基地局制御装置が３台以上あるか否か判断し、
前記判断により、前記接続中基地局制御装置が３台より少ないと判断された場合、前記全体制御部は、切替タイミング信号により指定されたタイミングで前記データ符号化装置を停止し、
前記ＳＤＵ制御部は、前記判断により、前記接続中基地局制御装置が３台以上あると判断された場合、前記ＳＤＵ信号選択部により、切替先の基地局制御装置以外の全ての基地局制御装置との間の通信路を切断し、及び、前記ＳＤＵ制御部は、切替タイミング信号により指定されたタイミングで前記データ符号化装置を停止し、
切替先の前記基地局制御装置との副信号路が第２の主信号路へ割り当てられて、前記電子交換機との第１の主信号路の信号が切替先の前記基地局制御装置へバイパスされ、及び、前記電子交換機との通信資源が解放され、及び、切替先の前記基地局制御装置と前記電子交換機と自基地局制御装置との間の前記第２の主信号路が、切替先の前記基地局制御装置と前記電子交換機との間の第３の主通信路につなぎ替えられるための通信接続切替装置。
【請求項９】
通信基地局装置からの信号を終端し、前記通信基地局装置からの信号を受信するＳＤＵ信号検出部と、
前記ＳＤＵ信号検出部を経て前記通信基地局装置と伝送される信号を集線・分配するＳＤＵ信号選択部と、
前記ＳＤＵ信号検出部で受信された信号が入力され、前記ＳＤＵ信号選択部の選択制御を行うＳＤＵ制御部と、
電子交換機に接続され、信号の送受信及び抽出・挿入を行う電子交換機接続部と、
前記電子交換機と伝送される信号の抽出・挿入を行うために前記電子交換機接続部を制御する電子交換機接続制御部と、
前記ＳＤＵ信号選択部の集線側と前記交換機接続部との間に設けられ、伝送される信号の符号化及び復号化を行うデータ符号化装置と、
前記データ符号化装置をバイパスするバイパス回路と、
前記バイパス回路と前記データ符号化装置のいずれかを選択する制御、及び、前記電子交換機制御部及び前記ＳＤＵ制御部の制御を行う全体制御部と
を備え、
前記ＳＤＵ信号検出部は、前記通信端末装置が自己の無線ゾーンに移動してくる際に、前記通信端末装置からの情報を受信し、
前記電子交換機接続部は、前記電子交換機から第２の通信路切替要求を受信し、及び、切替タイミング信号を含む切替要求応答を前記電子交換機へ送信し、
前記全体制御部は、通信中の前記通信端末装置が使用している接続中基地局制御装置が３台以上あるか否かを判断し、
前記判断により、前記接続中基地局制御装置が３台より少ないと判断された場合に、前記全体制御部は、前記データ符号化装置を起動し、
前記判断により、前記接続中基地局制御装置が３台以上あると判断された場合に、
前記ＳＤＵ信号検出部、前記ＳＤＵ信号選択部及び前記ＳＤＵ制御部を起動し；
前記ＳＤＵ信号選択部により、切替元の前記第１の基地局制御装置と全ての他の基地局制御装置との間の通信路を収容し；及び、
前記全体制御部は、前記データ符号化装置を起動し、及び、
前記切替元基地局制御装置と自基地局制御装置との副信号路が第２の主信号路に割り当てられて、前記電子交換機と前記切替元基地局制御装置との間の前記第１の主信号路の信号が該切替元基地局制御装置からバイパスされ、及び、前記切替元基地局制御装置と前記電子交換機と自基地局制御装置との間の前記第２の主信号路が、自基地局制御装置と前記電子交換機との間の第３の主通信路につなぎ替えられるための通信接続切替装置。
【発明の詳細な説明】
【０００１】
【発明の属する技術分野】
本発明は、通信接続切替方法及び通信接続切替装置に係り、特に、移動体通信設備における通信端末装置の移動による通信路の通信接続切替方法及び通信接続切替装置に関する。
【０００２】
【従来の技術】
図２２に、基本的な移動体通信設備の概略構成図を示す。
【０００３】
一般に、基本的な移動体通信設備は、通信基地局装置１１０、基地局制御装置１２０及び電子交換機１３０を備える。電子交換機１３０は、さらに、他の電子交換機、搬送装置又は端局装置等に、ネットワーク１４０を介して接続される。通信端末装置１５０は、各通信基地局装置１１０の無線ゾーンを移動する。
【０００４】
通信端末装置１５０は、通信基地局装置１１０との接続に関する制御情報及び通信内容に関する通信情報等を発信したり、受信したりする機能を有する。通信基地局装置１１０は、通信端末装置１５０と無線の送受信を行う。基地局制御装置１２０は、ひとつ又は複数の通信基地局装置１１０を統括し、管理及び制御を行う。そして、電子交換機１３０は、通信路を切り替えることにより、それらの制御情報や通信情報を、所定の他の基地局制御装置や通信端末装置等へ交換する機能を有する。
【０００５】
図２３に、セルの概念についての説明図を示す。
【０００６】
通常、ひとつの通信基地局装置が複数の通信端末装置と通信ができる無線ゾーンの範囲は、「セル」と呼ばれる。このセルを隣接させることによって、通信端末装置が無線ゾーン間を移動しても、瞬断のない送受信が可能な移動体通信を提供することができる。
【０００７】
従来、上述のような移動体通信設備が備える各構成の組合せにより、複数の通信端末装置、複数の通信基地局装置、複数の基地局制御装置及び複数の電子交換機がそれぞれ関与する移動体通信設備が提供される。ここで、ある１台の通信端末装置が、１台の通信基地局装置と１台の基地局制御装置と１台の電子交換機とを経る通信路で通信をしている状態を想定する。そして、この状態から、この通信端末装置が現在の通信基地局装置が提供するセル範囲を外れ、異なる基地局制御装置が配下に有するひとつの通信基地局装置が提供するセル範囲に移動する場合を考える。ここで、この異なる基地局制御装置は、複数の通信基地局装置を配下に有する場合を想定する。この場合における、電子交換機と他の基地局制御装置との通信路の切替を可能とする通信接続切替方式としては、ティ・アイ・エー／イー・アイ・エー、インターリム  スタンダード  アイエス−６３４（１９９５年）第３章、第４節に（TIA/EIA Interim Standard, IS-634）において開示されている。
【０００８】
すなわち、従来の技術では、以下に説明する方法で、移動する通信端末装置からの通信を、瞬断、ノイズ、データ欠落等の通信品質の劣化をすることなく又は抑制して、通信路の切替を行っている。
【０００９】
まず、１台の電子交換機と、１台の切替元基地局制御装置と、１台の通信基地局装置と、１台の通信端末装置からなる通信路が構成されている状態を想定する。ここで、通信基地局装置は、信号の終端と品質の最良なものの選択を行う切替分配装置（Selecter/Distributer Unit、ＳＤＵ）と、通信データの符号化及び復元化（復号化）を行う通信データ符号化装置を内蔵する。
【００１０】
この状態で、通信端末装置が隣接セル間を移動すると、通信中の通信基地局装置とは異なる他の通信基地局装置を配下に持つ切替先基地局制御装置との通信路が、電子交換機を介して切替元基地局制御装置との間に接続される。この時、新たに構成された通信路上の切替先基地局制御装置においては、内部のＳＤＵと通信データ符号化装置は動作しておらず、単にバイパス回路で信号が通過する構成となる。また、電子交換機においては、切替元基地局制御装置からの通信路を切替先基地局制御装置へ単に折り返すことにより、通信路の信号を通過させるのみである。
【００１１】
一方、新たに確立された通信路の信号は、切替元基地局制御装置のＳＤＵにおいて、元の通信路の信号と新たな通信路の信号との終端が行われるとともに、これら信号路の中から品質の最良なものの選択が行われ、内部の通信データ符号化装置で通信データの復元が行われる。
【００１２】
さらに、通信端末装置が隣接セル間を移動した場合には、通信端末装置と通信基地局装置と基地局制御装置との間の元の通信路が切り放され、一方、切替先基地局制御装置において、内部の通信データ符号化装置を起動させることにより、切替元基地局制御装置と電子交換機と切替先基地局制御装置を介して通信データ回線が構成される。この時、構成されている通信路の送受信信号は、切替元基地局制御装置内の通信データ符号化装置では信号処理されず、単にバイパス回路を経て信号が通過する。最後に、電子交換機は、通信回線を切替元基地局制御装置から切替先基地局制御装置へ繋ぎかえる。
【００１３】
【発明が解決しようとする課題】
一般に、通信端末装置が無線ゾーン間を移動するときに、その通信端末装置が、切替元以外の２つ以上の基地局制御装置との間で通信路を構成するようになる場合がある。この場合、切替先となりうる基地局制御装置から切替元基地局制御装置への通信路も２つ以上になり、その結果、最終的にはその２つ以上の通信路の内いずれかを選択して切り替える必要が有る。
【００１４】
しかしながら、従来においては、このような場合の選択方法は開示されておらず、例えば、２台以上の基地局制御装置からの複数の通信路を持つ切替元基地局制御装置において、通信接続切替の要求が発生しても、原理的には切替元基地局制御装置では切替が不可能になってしまう。また、従来、通信路の切替のためには、基地局制御装置と電子交換機との間の通信回線資源を必要以上に多数使用することになるという問題があった。
【００１５】
本発明では、例えば、ある基地局制御装置に通信端末装置と通信基地局装置との間の通信路が複数あり、かつ、そのうち電子交換機を経由して、他の基地局制御装置からの通信路が複数本ある場合でも、瞬断、ノイズ、データ欠落等の通信品質の劣化を抑制し、かつ、基地局制御装置と電子交換機の間の通信回線資源を必要最小限とする通信接続切替方法及び通信接続切替装置を提供することを目的とする。
【００１６】
また、本発明は、基地局制御装置に通信端末装置と通信中の通信基地局装置が複数ある場合や、通信中の基地局制御装置が３台以上ある場合でも、常に１台の電子交換機が通信接続切替を実行することができる通信接続切替方法及び通信接続切替装置を提供することを目的とする。
【００１７】
【課題を解決するための手段】
このような目的を達成するために、本発明では、例えば１台の通信端末装置と切替元基地局制御装置との間の通信路が存在し、さらに、この他にその通信端末装置と他の基地局制御装置を経て切替元基地局制御装置へ接続される通信路が２つ以上存在する場合の通信路接続切替を行うことができる。この場合、切替元基地局制御装置からそれを収容する電子交換機へ通信接続切替の要求が発生する前に、品質等の最良な切替先となる基地局制御装置の選択を行い、切替先基地局制御装置側で事前に通信端末装置と切替先とならない他の基地局制御装置との複数の通信路を終端する。これにより、電子交換機から通信端末装置への切替元基地局制御装置を経た通信路から、これとは異なる電子交換機と切替先基地局制御装置とを経た通信路への切替を可能にする。また、これは切替元基地局制御装置と電子交換機と切替先基地局制御装置の間の通信路資源を節約することになる。
【００１８】
本発明の第１の解決手段によると、
複数の隣接する無線ゾーンをカバーする複数の通信基地局装置と、前記通信基地局装置を制御する基地局制御装置と、前記基地局制御装置を収容する電子交換機とを備えた移動体通信設備における通信接続切替方法であって、
第１の状態において、
電子交換機と第１の基地局制御装置との間で、第１の主信号路が形成され、
前記第１の基地局制御装置と第１の通信基地局装置との間で、第１の副信号路が形成され、
前記第１の通信基地局装置と通信端末装置との間で、第１の無線通信路が形成されており、
第２の状態において、
前記通信端末装置と第２の通信基地局装置との間で、さらに第２の無線通信路が形成され、
前記第１の基地局制御装置から前記電子交換機及び前記第２の基地局制御装置とを介して第２の通信基地局装置までの間で、第２の副信号路が形成され、
第３の状態において、
前記第１の基地局制御装置では、前記第１及び第２の副信号路の信号を比較することにより前記第２の副信号路の信号を選択した際、
前記第１の基地局制御装置は、前記第１の副信号路を切断し、
前記電子交換機は、前記第２の副信号路を第２の主信号路とし、
第４の状態において、
前記電子交換機は、前記第１の基地局制御装置との間の前記第１の主信号路を開放し、
前記第２の基地局制御装置との間で第３の主信号路を形成するようにした通信接続切替方法を提供する。
【００１９】
また、本発明の第２の解決手段によると、
電子交換機と第１の基地局制御装置との間で第１の主信号路が形成され、前記第１の基地局制御装置と通信端末装置との間で第１の副信号路が形成された状態において、前記通信端末装置が、前記第１の基地局制御装置の無線ゾーンから、隣接する第２の基地局制御装置の無線ゾーンに移動する際に、
前記第１の基地局制御装置から前記電子交換機を経て前記第２の基地局制御装置までの間に、第２の副信号路が形成され、
前記第１の基地局制御装置から前記電子交換機へ第１の通信路切替要求を送信し、
前記電子交換機は、前記第１の通信路切替要求を受信すると、前記第２の基地局制御装置へ第２の通信路切替要求を送信し、
前記第２の基地局制御装置は、前記第２の通信路切替要求を受信すると、前記電子交換機へ切替タイミング信号を含む通信路切替要求応答を送信し、
前記電子交換機は、前記通信路切替要求応答を受信すると、前記第１の基地局制御装置へ前記切替タイミング信号を含む通信基地局装置切り離し要求を送信し、
前記第１の基地局制御装置は、前記通信基地局装置切り離し要求を受信すると、受信した前記切替タイミング信号に従って前記通信端末装置との間の前記第１の副信号路を切断した後、前記電子交換機へ切り離し応答を送信し、
前記電子交換機は、前記切り離し応答を受信すると、前記第２の副信号路を第２の主信号路に割り当て、さらに、前記第２の副信号路のうち前記第１の基地局制御装置と前記電子交換機との間の接続部分を開放し、前記第２の基地局制御装置へ第３の主信号路を接続するようにした通信接続切替方法を提供する。
【００２０】
さらに、本発明は、
前記通信端末装置が、さらに、第３の基地局制御装置が制御する第３の通信基地局装置の無線ゾーン内にも位置するとき、
前記第１の基地局制御装置と前記第３の基地局制御装置との間に、前記電子交換機を介して、第３の副信号路がさらに形成され、
切替先の基地局制御装置として、基地局制御装置に接続されている通信装置が一番多い基地局制御装置、又は、一番最近に通信開始した基地局制御装置、又は、通信品質の良い通信路を有する基地局制御装置が決定され、
前記切替先以外の基地局制御装置と前記第１の基地局制御装置との間の副信号路は開放され、切替先の基地局制御装置との新たな副信号路としてつなぎ替えられることを特徴とする。
【００２１】
【発明の実施の形態】
以下、本発明の実施の形態を説明する。
【００２２】
（１）第１の通信切替状態
図１に、本発明に係る第１の通信切替状態（その１）を説明するシステムブロック図を示す。
【００２３】
ここでは、通信端末装置１１が、通信基地局装置８の提供する無線ゾーン内にあり、無線通信路１４が確立されている。この場合、通信基地局装置８及び基地局制御装置２との間に、副信号路１７が確立されている。
【００２４】
通信端末装置１１は、無線通信路１４、通信基地局装置８、副信号路１７、基地局制御装置２、主信号路１５を経て、電子交換機１と接続される。基地局制御装置２においては、通信データ符号化装置４及びＳＤＵ５が動作している。
【００２５】
以下の説明において、太線の信号路は、符号化された信号が流れている信号路を示す。この信号は、通信データ符号化装置により符号化・復号化されるディジタル信号であり、主に電子交換機１内で処理される信号である。普通線の信号路は、このような符号化がされていない信号が流れている信号路であり、主に通信端末装置内及び通信基地局装置内で処理される信号である。
【００２６】
図２に、通信端末装置の移動と無線ゾーンについての説明図の一例を示す。
【００２７】
無線ゾーンＡ，Ｂ，Ｃは、それぞれ、通信基地局装置８，９，１０の通信範囲の一例を示す。通信基地局装置８は基地局制御装置２の配下にあり、また、通信基地局装置９及び１０は基地局制御装置３の配下にある。基地局制御装置２及び３は、電子交換機１に収容され、それぞれ、通信データ符号化装置４及び６、ＳＤＵ５及び７を備える。
【００２８】
図１の状態においては、通信端末装置１１が、図２のエリアａにある場合である。
【００２９】
つぎに、図３に、本発明に係る第１の通信切替状態（その２）を説明するシステムブロック図を示す。
【００３０】
ここでは、通信端末装置１１が、図２のエリアｂにある場合である。すなわち、図３は、各通信基地局装置８及び９との間に、それぞれ１本ずつ無線通信路１４、１３が確立されている場合を示す。
【００３１】
通信端末装置１１が、このように隣接セル間を移動した際、通信端末装置１１は通信基地局装置９からの無線信号も受信するので、それに応答して無線通信路１３が形成される。無線通信路１３が新たに形成されたという情報は、現在通信中の通信基地局装置８を介して基地局制御装置２及び電子交換機１に伝送される。電子交換機１は、このように基地局制御装置３と通信基地局装置９と通信端末装置１１との間に通信路１８及び無線通信路１３が確立された場合には、電子交換機１を介した副信号路１６により基地局制御装置２及び基地局制御装置３との間を接続する。
【００３２】
切替元基地局制御装置２において、ＳＤＵ５は、副信号路１６を主信号路１５に副信号路１７と二重又は多重接続するように終端するとともに、終端した副信号路１７と副信号路１６の中から、符号誤り率、ノイズ、歪み等の通信品質の比較による選択法によって最良な副信号路の選択を行う。また、切替元基地局制御装置２において、通信データ符号化装置４は、通信データの符号化及び復元させるために起動される。
【００３３】
つぎに、図４に、本発明に係る第１の通信切替状態（その３）を説明するシステムブロック図を示す。
【００３４】
ここでは、切替先基地局制御装置３は、配下に通信基地局装置９及び１０を備え、通信端末装置１１は、新たにこれら通信基地局装置９及び１０との間に無線通信路１３及び１２が形成された場合を示す。ここでは、通信端末装置１１が、図２のエリアｃにある場合である。
【００３５】
図５に、新たな通信基地局装置が追加された場合のフローチャートを示す。まず、新たな通信基地局装置１０が、基地局制御装置３へ追加された場合を例に説明する。
【００３６】
通信端末装置１１は、図２のエリアｃに移動すると、通信基地局装置１０からの無線信号も受信するので、それに応答して無線通信路１２が形成される。無線通信路１２が新たに形成されたという情報は、通信基地局装置８を介して基地局制御装置２に伝送され、その後基地局制御装置３に伝送されて、この通信基地局装置１０が追加される。
【００３７】
通信端末装置１１が無線通信路１２を介して通信基地局装置１０と接続されると（ステップ１００）、切替元基地局制御装置２は、切替先基地局制御装置３又は通信基地局装置１０から接続要求を受信する。つぎに、自らの基地局制御装置３配下の通信基地局装置の接続台数が２台目であるか否か判断する（ステップ１０１）。ここで２台目と判断されると、ＳＤＵ７を起動し、副信号路１８及び１９の通信基地局装置９、１０とのそれぞれの送受信信号を終端する（ステップ１０２）。また、上述と同様の選択法によって、終端された信号の内から品質の最良なものの選択が行われ、選択された信号は、通信データ符号化装置６を介さずにバイパスされて、切替先基地局制御装置３と電子交換機１と切替元基地局制御装置２の間の副信号路１６を用いて伝送される。
【００３８】
なお、ステップ１０１で接続中通信基地局装置が１台である場合は、ＳＤＵ７は起動されず、通信端末装置１１からの信号は単に終端され、また、通信データ符号化装置６を介さずにバイパスされて、切替先基地局制御装置３と電子交換機１と切替元基地局制御装置２の間の副信号路１６を用いて伝送される。
【００３９】
一方、切替元基地局制御装置２では、自配下の通信基地局装置８からの信号と副信号路１６で伝送された信号をＳＤＵ５で更に信号の終端と、上述と同様の選択法によって品質の最良なものの選択をした後、通信データ符号化装置４を介して、主信号路１５を用いて電子交換機１に伝送する。
【００４０】
つぎに、図６に、本発明に係る第１の通信切替状態（その４）を説明するシステムブロック図を示す。
【００４１】
図６の状態は、通信端末装置１１が、更に移動して切替元基地局制御装置２の配下外に出た場合であり、図２のエリアｄにある場合である。
【００４２】
また、図７に、通信路切替シーケンスの説明図を示す。図８に、電子交換機の通信路切替のフローチャートを示す。図９に、切替元通信制御装置の通信路切替のフローチャートを示す。また、図１０に、切替先通信制御装置の通信路切替のフローチャートを示す。
【００４３】
以下に、これらのシーケンス及びフローチャートを参照して、切替動作を説明する。図７〜１０の各フローチャートは関連して動作し、図示されたステップ番号は、それぞれ同一の対応するステップを示す。
【００４４】
通信端末装置１１は、図２のエリアｄに移動すると、通信基地局装置８への無線信号路１７が切断されるので、その情報は、通信基地局装置８を介して基地局制御装置２に伝送される。
【００４５】
図７に示されるように、通信端末装置１１が隣接セルに移動したことで、切替元基地局制御装置２と通信基地局装置８との通信路１７を切断しようとしたとき、切替元基地局制御装置２は、電子交換機１に対して第１の通信路切替要求を行う(ステップ２００）。電子交換機１ではこれを受信し、切替先基地局制御装置３へ第２の通信路切替要求を送信する（ステップ２０１）。切替先基地局制御装置３では、これを受信すると、切替を行うタイミング信号を含む通信路切替要求応答を電子交換機１へ返送する（ステップ２０２）。このタイミング信号は、切替制御のための信号であり、例えば、タイミングを表わすトリガ信号や予め定められた時間の経過後に切り替えるという内容の制御情報等である。電子交換機１ではこの通信路切替要求応答を受け取ると、そのタイミング信号を含む通信基地局切り離し要求を、切替元基地局制御装置２へ伝える（ステップ２０３）。
【００４６】
切替元基地局制御装置２では、図９に示されるように、受信した通信基地局切り離し要求（ステップ２０３）により指定されたタイミングによって、通信データ符号化装置４を停止させ（ステップ４０３）、さらに、通信基地局装置８との通信路１７の切断を行う（ステップ４０４）。
【００４７】
一方、切替先基地局制御装置３では、図１０に示されるように、同様に、送信した通信路切替要求応答（ステップ２０２）に含まれるタイミング信号により指定したタイミングによって、通信データ符号化装置６を起動させる（ステップ５０５）。
【００４８】
副信号路１７の切り離しが完了すると、図７及び図９に示されるように、切替元通信制御装置２から電子交換機１に、切り離し完了報告信号を含む切り離し応答が伝送される（ステップ２０４）。
【００４９】
電子交換機１は、図８に示されるように、切替元通信制御装置２からの切り離し応答により、副信号路１７の切り離し完了報告信号を含む切り離し応答を受信すると（ステップ２０４）、副信号路１６を主信号路２０へ割り当てる（ステップ３０３）。このようにして、図６の主信号路２０が形成される。このとき、切替元基地局制御装置２内の通信データ符号化装置４はバイパスされ、切替先基地局制御装置３内の通信データ符号化装置６が符号化・復号化を行う。
【００５０】
つぎに、図１１に、本発明に係る第１の通信切替状態（その５）を説明するシステムブロック図を示す。図１１の状態は、図２のエリアｄにおける主信号路の切替後の状態である。
【００５１】
電子交換機１は、使用していた切替元基地局制御装置２との通信資源（通信データ符号化装置４、ＳＤＵ５、主信号路１５等）をすべて解放するのと同時に、確立されていた切替先基地局制御装置３と電子交換機１と切替元基地局制御装置２との間の通信路２０を、切替先基地局制御装置３と電子交換機１との間の通信路２１につなぎ替えて、通信可能状態を確保する（ステップ３０４）。また、切替先基地局制御装置３内のＳＤＵ７は、終端された副信号路１８又は１９のうち、品質の良いほうを選択する。
【００５２】
つぎに、図１２に、本発明に係る第１の通信切替状態（その６）を説明するシステムブロック図を示す。このように、通信端末装置１１が、さらに、図２のエリアｅに移動すると、副信号路１８及び無線信号路１３は開放される。
【００５３】
（２）第２の通信切替状態（基地局制御装置が３台以上となった場合）
第１の通信切替状態においては、切替に関与する基地局制御装置が、２台である場合の通信接続切替方法を説明した。本発明は、これに限定されるものではなく、３台以上の複数の基地局制御装置が切替に関与する場合でも、その技術思想を適用することができるものである。以下に、例えば、３台の基地局制御装置に通信経路が確立されている場合において、通信接続を切替える技術について説明する。３台より多数の基地局制御装置が接続されている場合も、同様に、本発明を適用することができる。
【００５４】
図１３に、本発明に係る第２の通信切替状態（その１）を説明するシステムブロック図を示す。
【００５５】
ここでは、通信端末装置１１が、通信基地局装置８の提供する無線ゾーン内にあり、無線通信路１４が確立されている。この場合、通信基地局装置８と基地局制御装置２との間に副信号路１７が確立されている。
【００５６】
通信端末装置１１は、無線通信路１４、通信基地局装置８、副信号路１７、基地局制御装置２及び主信号路１５を経て、電子交換機１と接続される。基地局制御装置２においては、通信データ符号化装置４及びＳＤＵ５が動作している。
【００５７】
図１４に、通信端末装置の移動と無線ゾーンについての説明図の一例を示す。
【００５８】
無線ゾーンＡ、Ｂ及びＣ、Ｄ及びＥは、それぞれ、通信基地局装置８、９及び１０、２７及び２８の通信範囲の一例を示す。実際には、無線ゾーンの大きさや形状、設定や配置の他にも、ビル、橋、鉄塔等の建築物、河川、がけ、山等の自然地形等の影響により、複数の無線ゾーンが重なる場合がある。通信基地局装置８は基地局制御装置２の配下にあり、通信基地局装置９及び１０は基地局制御装置３の配下にあり、また、通信基地局装置２７及び２８は基地局制御装置２２の配下にある。基地局制御装置２，３及び２２は、電子交換機１に収容され、それぞれ、データ符号化装置４、６及び２３、ＳＤＵ５、７及び２４を備える。
【００５９】
図１３の状態においては、通信端末装置１１が、図１４のエリアａにある場合である。
【００６０】
つぎに、図１５に、本発明に係る第２の通信切替状態（その２）を説明するシステムブロック図を示す。
【００６１】
この状態は、通信端末装置１１が図１４のエリアｂに移動した場合である。この場合、通信端末装置１１は、通信基地局装置９及び１０、２７及び２８からの無線信号も受信するので、それに応答して無線通信路１３及び１２、３０及び２９が形成される。これらの無線通信路１３及び１２、３０及び２９が新たに形成されたことの情報は、現在通信中の通信基地局装置８を介して基地局制御装置２及び電子交換機１に伝送される。その結果、電子交換機１は、自己を介した副信号路１６及び３１により、それぞれ基地局制御装置２と基地局制御装置３との間及び基地局制御装置２と基地局制御装置２２との間を接続する。
【００６２】
このように、３台の基地局制御装置２，３及び２２に無線通信路１４，１３，１２，３０及び２９が確立されている状態になると、図７及び９に示されるように、切替元基地局制御装置２から第１の通信路切替要求が電子交換機１へ指示される（ステップ２００）。
【００６３】
このとき、電子交換機１は、図８に示されるように、接続中の基地局制御装置が３台以上あると判断し（ステップ３００）、通信中の基地局制御装置３，２２の中から、切替先となる基地局制御装置を決定する(ステップ３０１）。この決定基準は、例えば、一番多くの通信基地局装置を配下に持つ基地局制御装置を切替先とすること、配下に持つ通信基地局装置の数が同数の場合などには一番最後に通信可能状態となった基地局制御装置を切替先とすること、又は、通話品質の一番良い通信路を含む基地局制御装置を切替先とすること等及びこれらの組み合わせ等により行う。ここでは、一例として、基地局制御装置３を切替先と決定したものする。
【００６４】
その後、切替先基地局制御装置３への第２の通信路切替要求（ステップ２０１）及び切替先基地局制御装置３からの通信路切替要求応答の受信（ステップ２０２）のシーケンスとなるが、これについては、第１の通信切替状態の実施の形態の場合と同様の手順で、各装置に切り替えタイミング信号等が通知される。
【００６５】
つぎに、図１６に、本発明に係る第２の通信切替状態（その３）を説明するシステムブロック図を示す。
【００６６】
ここでは、図８に示されるように、切替先とならない基地局制御装置２２が接続される副信号路３１を、切替元基地局制御装置２から切替先基地局制御装置３につなぎ替える処理が実行される（ステップ３０２）。この場合、電子交換機１では、副信号路３１について、基地局制御装置２２から電子交換機１を通して切替先基地局制御装置３のＳＤＵ７へ、つなぎ替えることにより、新たな副信号路３２を形成する。
【００６７】
一方、切替元基地局制御装置２及び切替先基地局制御装置３では、通信路資源の整理を行う。まず、切替元基地局制御装置２では、図９に示されるように、接続中の基地局制御装置の台数を確認する（ステップ４００）。そして、切替先基地局制御装置３以外の基地局制御装置について使用していた回線資源を初期化・開放する（ステップ４０１）。ここ例では、基地局制御装置２２についてが対象となるが、他にも使用していた基地局制御装置がある場合、確立されている通信路のすべての数分繰り返す（ステップ４０２）。
【００６８】
また、切替先基地局制御装置３は、図１０に示されるように、接続中の基地局制御装置の台数を確認し（ステップ５００）、３台以上基地局制御装置がある場合か判断する（ステップ５００）。この例では、その場合に該当するので、次にＳＤＵ７が起動されているか確認し（ステップ５０１）、ＳＤＵ７が起動されていない場合には、ＳＤＵ７を起動（ステップ５０２）する。つぎに、切替元基地局制御装置２と他の基地局制御装置（ここでは、基地局制御装置２２）との通信路（ここでは、副信号路３１）を収容する（ステップ５０３）。さらに、このような通信路の切替のための準備（ステップ５０３）を、確立されている通信路の分繰り返す（ステップ５０４）。以上のようにして、図１６に示された状態となる。
【００６９】
つぎに、図１７に、本発明に係る第２の通信切替状態（その４）を説明するシステムブロック図を示す。図１７の状態においては、通信端末装置１１が、図１４のエリアｃにある場合である。
【００７０】
このとき、図９に示されるように、第１の通信切替状態の実施の形態と同様に、切替タイミング信号により指定されたタイミングにより、切替元基地局制御装置２では通信データ符号化装置４を停止させて主信号路１５の信号をバイパスする（ステップ４０３）。また、通信基地局装置８との通信路１７の切断を行う（ステップ４０４）。なお、このときＳＤＵ７は、起動されている。
【００７１】
一方、切替先基地局制御装置３では、図１０に示されるように、タイミング信号で指定された同様のタイミングにより、通信データ符号化装置６を起動させる（ステップ５０５）。
【００７２】
電子交換機１は、図８に示されるように、切り離し応答により切り離し完了報告信号を切替元基地局制御装置２から受信すると（ステップ２０４）、副信号路１６を主信号路２０へ割り当てて切り替える（ステップ３０３）。以上のようにして、図１７に示された状態となる。
【００７３】
つぎに、図１８に、本発明に係る第２の通信切替状態（その５）を説明するシステムブロック図を示す。
【００７４】
電子交換機１は、図８に示されるように、使用していた切替元基地局制御装置２との通信資源をすべて開放するのと同時に、確立されていた切替先基地局制御装置３、電子交換機１及び切替元基地局制御装置２間の通信路２０を、切替先基地局制御装置３と電子交換機１との間の通信路３３につなぎ替えて通信可能状態を確保する（ステップ３０４）。
【００７５】
さらに、図１９に、本発明に係る第２の通信切替状態（その６）を説明するシステムブロック図を示す。図１９の状態においては、通信端末装置１１が、図１４のエリアｄにある場合である。この場合、副信号路３２がさらに開放されることになる。
【００７６】
なお、さらに、通信端末装置１１が、図１４のエリアｅに移動すると、副信号路１８及び無線信号路１３は開放される。
【００７７】
このように、通信端末装置の移動にともない、３台以上の複数の基地局制御装置と通信経路が確立される場合においても、切替元基地局制御装置から切替先基地局制御装置へ、その他の基地局制御装置の経路を繋ぎ替えることにより、原理的には第１の通信切替状態の実施の形態と同様の方法によって通信接続切替が可能となる。
【００７８】
（３）ハードウエア
つぎに、上述で記載したような機能を実現するための、電子交換機及び基地局制御装置の構成について説明する。
【００７９】
図２０に、電子交換機の構成図を示す。
【００８０】
電子交換機１は、基地局制御装置接続部５０、交換部５１、他通信網接続部５２、基地局制御装置接続制御部５３、他通信網接続制御部５４及び全体制御部５５を備える。全体制御部５５は、演算装置５６及び記憶装置５７を含む。また、図中、太線はデータ通信路を示し、細線は制御通信路を示す。
【００８１】
図２１に、基地局制御装置の構成図を示す。
【００８２】
基地局制御装置は、電子交換機接続部６０、通信データ符号化装置６１、ＳＤＵ６２、通信基地局装置接続部６３、電子交換機接続制御部６４、バイパス回路６５、通信基地局装置接続制御部６６及び全体制御部６７を備える。ＳＤＵ６２は、ＳＤＵ信号選択部６２ａ、ＳＤＵ信号検出部６２ｂ、ＳＤＵ制御部６２ｃを含む。全体制御部６７は、演算装置６８及び記憶装置６９を含む。また、図中、太線はデータ通信路を示し、細線は制御通信路を示す。
【００８３】
まず、信号選択や接続切替に関して使用されるハードウェアについて説明する。
【００８４】
電子交換機１においては、全体制御部５６の制御により、交換部５１では折り返し接続や、適宜の回線の選択接続を行うことができる。通信端末装置１１、各基地局制御装置２，３及び２２からの情報（第１の通信路切替要求２００、通信路切替要求応答２０２、切り離し応答２０４、等）は、基地局制御装置接続部５０により抽出されて、基地局制御装置接続制御部５３により検出される。一方、電子交換機１から送信される情報（第２の通信路切替要求２０１、通信基地局装置切り離し要求２０３、等）は、基地局制御装置接続制御部５３の制御により基地局制御装置接続部５０を経て所定の基地局制御装置へ送信される。したがって、これらの情報に基づいて、全体制御部５５は、基地局制御装置接続制御部５３により基地局制御装置接続部５０を制御するとともに、交換部５１、他通信網接続部５２及び他通信網接続制御部５３により適宜の接続切替動作を行うことができる。
【００８５】
基地局制御装置では、ＳＤＵ６２の３つのブロックは、次のような機能を有する。すなわち、ＳＤＵ信号選択部６２ａは、ＳＤＵ制御部６２ｃの指示により、指定された通信路の信号を選択する。また、ＳＤＵ信号選択部６２ａは、電子交換機１と通信基地局装置及びひとつ又は複数の他の基地局制御装置との間で、共通に信号が伝送されるように、二重又は多重接続することができる。信号検出部６２ｂは、通信基地局装置から受信したデータから、符号誤り率・電界強度などの回線品質データや他の無線通信路に関するデータ（例えば、基地局制御装置の特定、接続数の情報等）を取得し、ＳＤＵ制御部６２ｃへ報告する。また、ＳＤＵ制御部６２ｃは、ＳＤＵ信号検出部６２ａから報告された回線品質データや無線通信路に関するデータに基づいて、最良の通信回線を判断し、ＳＤＵ信号選択部６２ａに選択の指示を行なったり、基地局制御装置へデータを送信するように全体制御部６７へ指示信号を伝達したりする。
【００８６】
通信基地局装置接続部６３は、通信基地局装置接続制御部６６の制御により、通信基地局からの回線の終端を行う。また、全体制御部６７は、電子交換機１と通信基地局装置との間に伝送される信号が、通信データ符号化装置６１又はバイパス回路６５のいずれかを通過するように選択制御する。電子交換機１から基地局制御装置へ送信される各種の情報（例えば、接続状態の情報、接続数の情報、第２の通信路切替要求２０１、通信基地局装置切り離し要求２０３、等）は、電子交換機接続制御部６４の制御に従い電子交換機接続部６０により、適宜抽出して受信することができる。一方、電子交換機１への各種情報（例えば、接続状態の情報、接続数の情報、第１の通信路切替要求２００、通信路切替要求応答２０２、切り離し応答２０４、等）は、これにより適宜挿入して送信することができる。また、接続のための上述のような各種情報又は通信端末装置や通信基地局装置と伝送される信号は、バイパス回路６５又は通信データ符号化装置６１を介して、直接電子交換機１と伝送することもできる。
【００８７】
つぎに、基地局制御装置に接続されている回線の接続数の管理（回線数の把握方法）に関して使用されるハードウェアについて説明する。
【００８８】
通信端末装置は、各通信基地局装置の無線ゾーンに移動すると、その通信基地局と信号を送受信する。その際に、通信基地局装置及び基地局制御装置の接続状態及び接続数等の管理情報を、現在通信中の切替元基地局制御装置に伝える。これら回線状態等の管理情報は、上述のように基地局制御装置を経て電子交換機１へ伝えられる。なお、新たに接続された基地局制御装置に、このような管理情報を伝送することもできる。
【００８９】
電子交換機１では、回線の接続状態等を記憶装置５７で保持し、接続切替に必要な制御を演算装置５６のプログラムで行なう。通信端末装置１１、各基地局制御装置２，３及び２２との情報の授受は、基地局制御装置接続部５０により抽出・挿入して、基地局制御装置接続制御部５３により検出・送出することができる。また、電子交換機１では、例えば、通信端末装置、通信基地局装置又は基地局制御装置から伝送された情報等に基づいて、論理・物理回線を通信端末装置に割り当てるために、ソフトウェア的に回線を管理することができる。従って、現在通信中の通信端末装置用に使用している回線数を常に把握している。
【００９０】
切替元基地局制御装置では、回線の接続状態を記憶装置６９で保持し、接続切替に必要な制御を演算装置６８のプログラムで行なう。切替元基地局制御装置は、通信路切替の制御を統括している装置であり、通信中の基地局及びその回線数を管理している。従って、現在通信中の通信端末装置が使用している回線の数を常に把握している。
【００９１】
切替先基地局制御装置では、電子交換機から受信した回線の接続状態を記憶装置６９で保持し、接続切替に必要な制御を演算装置６８のプログラムで行う。切替先基地局制御装置は、現在対象となる通信端末装置と通信中の回線数を全ては把握してはいないが、電子交換機１から切り替え要求を受信した際に、接続状態が通知される。従って、接続切替が発生する際には、当該通信端末装置に使用している回線数を把握することができる。
【００９２】
なお、これらの回線、無線通信路、主信号路、副信号路等は、時分割的又は非同期的に形成されることができる。さらに、主信号路や副信号路等の接続されている期間は、通信資源の利用やトラフィック等を考慮して、同一の頻度としたり、副信号路の割合を主信号のそれより少なくする等異なる頻度とするなど、適宜設定することができる。
【００９３】
【発明の効果】
以上のように、本発明によると、例えば、ある基地局制御装置に通信端末装置と通信基地局装置との間の通信路が複数あり、かつ、そのうち電子交換機を経由して、他の基地局制御装置からの通信路が複数本ある場合でも、瞬断、ノイズ、データ欠落等の通信品質の劣化を抑制し、かつ、基地局制御装置と電子交換機の間の通信回線資源を必要最小限とすることができる。
【００９４】
また、本発明によると、基地局制御装置に通信端末装置と通信中の通信基地局装置が複数ある場合や、通信中の基地局制御装置が３台以上ある場合でも、常に１台の電子交換機が通信接続切替を実行することができる。
【００９５】
【図面の簡単な説明】
【図１】本発明に係る第１の通信切替状態（その１）を説明するシステムブロック図。
【図２】通信端末装置の移動と無線ゾーンについての説明図。
【図３】本発明に係る第１の通信切替状態（その２）を説明するシステムブロック図。
【図４】本発明に係る第１の通信切替状態（その３）を説明するシステムブロック図。
【図５】新たな通信基地局装置が追加された場合のフローチャート。
【図６】本発明に係る第１の通信切替状態（その４）を説明するシステムブロック図。
【図７】通信路切替シーケンスの説明図。
【図８】電子交換機の通信路切替のフローチャート。
【図９】切替元通信制御装置の通信路切替のフローチャート。
【図１０】切替先通信制御装置の通信路切替のフローチャート。
【図１１】本発明に係る第１の通信切替状態（その５）を説明するシステムブロック図。
【図１２】本発明に係る第１の通信切替状態（その６）を説明するシステムブロック図。
【図１３】本発明に係る第２の通信切替状態（その１）を説明するシステムブロック図。
【図１４】通信端末装置の移動と無線ゾーンについての説明図。
【図１５】本発明に係る第２の通信切替状態（その２）を説明するシステムブロック図。
【図１６】本発明に係る第２の通信切替状態（その３）を説明するシステムブロック図。
【図１７】本発明に係る第２の通信切替状態（その４）を説明するシステムブロック図。
【図１８】本発明に係る第２の通信切替状態（その５）を説明するシステムブロック図。
【図１９】本発明に係る第２の通信切替状態（その６）を説明するシステムブロック図。
【図２０】電子交換機の構成図。
【図２１】基地局制御装置の構成図。
【図２２】基本的な移動体通信設備の概略構成図。
【図２３】セルの概念についての説明図。
【符号の説明】
１                                                                    ：電子交換機
２，３，２２                ：基地局制御装置
４，６，２３                ：通信データ符号化装置
５，７，２４                ：ＳＤＵ
８〜１０，２７，２８：通信基地局装置
１１                                                    ：通信端末装置
１２〜１４，２９〜３０                                                ：無線通信路
１５，２０〜２１，３３                                                ：主信号路
１６〜１９，２５，２６，３１，３２        ：副信号路
５０：基地局制御装置接続部
５１：交換部
５２：他通信網接続部
５３：基地局制御装置接続制御部
５４：他通信網接続制御部
５５：電子交換機全体制御部
５６：演算装置
５７：記憶装置
６０：電子交換機接続部
６１：通信データ符号化装置
６２：ＳＤＵ
６３：通信基地局装置接続部
６４：電子交換機接続制御部
６５：バイパス回路
６６：通信基地局装置接続制御部
６７：基地局制御装置全体制御部
６８：演算装置
６９：記憶装置
【図１】
0003961660.tif 000002
【図２】
0003961660.tif 000003
【図３】
0003961660.tif 000004
【図４】
0003961660.tif 000005
【図５】
0003961660.tif 000006
【図６】
0003961660.tif 000007
【図７】
0003961660.tif 000008
【図８】
0003961660.tif 000009
【図９】
0003961660.tif 000010
【図１０】
0003961660.tif 000011
【図１１】
0003961660.tif 000012
【図１２】
0003961660.tif 000013
【図１３】
0003961660.tif 000014
【図１４】
0003961660.tif 000015
【図１５】
0003961660.tif 000016
【図１６】
0003961660.tif 000017
【図１７】
0003961660.tif 000018
【図１８】
0003961660.tif 000019
【図１９】
0003961660.tif 000020
【図２０】
0003961660.tif 000021
【図２１】
0003961660.tif 000022
【図２２】
0003961660.tif 000023
【図２３】
0003961660.tif 000024